(57)【要約】【課題】本発明は、走行時の静粛性を向上させた、空気入りタイヤを提供することを目的とする。【解決手段】本発明の空気入りタイヤは、タイヤ内面に、吸音材が配置され、前記吸音材は、不織布からなる２層以上の吸音層が積層されてなり、前記吸音層の各々の厚さは、２ｍｍ以下である。【選択図】図１
2020097288.tif 000002
【特許請求の範囲】
【請求項１】
タイヤ内面に、吸音材が配置され、
前記吸音材は、不織布からなる２層以上の吸音層が積層されてなり、
前記吸音層の各々の厚さは、２ｍｍ以下であることを特徴とする、空気入りタイヤ。
【請求項２】
前記タイヤは、トレッド部を有し、
前記吸音材は、少なくとも一部が、前記トレッド部のタイヤ径方向内側に配置されてなる、請求項１に記載の空気入りタイヤ。
【請求項３】
前記吸音材は、１０μｍ〜２ｍｍの厚さを有する前記吸音層が、１０〜２００層積層されてなる、請求項１又は２に記載の空気入りタイヤ。
【請求項４】
前記吸音材は、該吸音材の幅方向に延びる、１つ以上の切り込みを有し、
前記１つ以上の切り込みは、前記吸音材の内面からタイヤ外面側に向かって延びる、請求項１〜３のいずれか一項に記載の空気入りタイヤ。
【請求項５】
前記１つ以上の切り込みは、前記吸音材の内面からタイヤ外面側に向かって延び、前記吸音材内で終端する、請求項４に記載の空気入りタイヤ。
【請求項６】
前記吸音材は、該吸音材の内面に、該吸音材の幅方向に延びる１つ以上のくせ付け部を有する、請求項１〜５のいずれか一項に記載の空気入りタイヤ。
【発明の詳細な説明】
【技術分野】
【０００１】
本発明は、空気入りタイヤに関するものである。
【背景技術】
【０００２】
従来、空気入りタイヤでは、走行時に発生する騒音を低減して静粛性を向上させるために、タイヤの内面に吸音材を配置することが行われており、吸音材として不織布を用いることも提案されている（例えば、特許文献１）。
【先行技術文献】
【特許文献】
【０００３】
【特許文献１】特開２０１６−２１０２５０号公報
【発明の概要】
【発明が解決しようとする課題】
【０００４】
しかしながら、走行時、特に高速走行時において、遠心力により不織布の体積が減少してしまい、十分な静粛性が得られない場合もあった。
【０００５】
そこで、本発明は、走行時の静粛性を向上させた、空気入りタイヤを提供することを目的とする。
【課題を解決するための手段】
【０００６】
本発明の要旨構成は、以下の通りである。
本発明の空気入りタイヤは、
タイヤ内面に、吸音材が配置され、
前記吸音材は、不織布からなる２層以上の吸音層が積層されてなり、
前記吸音層の各々の厚さは、２ｍｍ以下であることを特徴とする。
本発明の空気入りタイヤによれば、走行時の静粛性を向上させることができる。
ここで、吸音層の厚さは、空気入りタイヤを適用リムから取り外して、吸音層の積層方向に測定した厚さとする。
【０００７】
本発明の空気入りタイヤでは、
前記タイヤは、トレッド部を有し、
前記吸音材は、少なくとも一部が、前記トレッド部のタイヤ径方向内側に配置されてなることが好ましい。
この構成によれば、走行時の静粛性をより有効に向上させることができる。
【０００８】
本発明の空気入りタイヤでは、前記吸音材は、１０μｍ〜２ｍｍの厚さを有する前記吸音層が、１０〜２００層積層されてなることが好ましい。
上記の範囲とすることにより、タイヤの過度の重量増を招くことなく、走行時の静粛性をさらに向上させることができる。
【０００９】
本発明の空気入りタイヤでは、
前記吸音材は、該吸音材の幅方向に延びる、１つ以上の切り込みを有し、
前記１つ以上の切り込みは、前記吸音材の内面からタイヤ外面側に向かって延びることが好ましい。
この構成によれば、吸音材にしわが発生するのを抑制することができる。
【００１０】
本発明の空気入りタイヤでは、
前記１つ以上の切り込みは、前記吸音材の内面からタイヤ外面側に向かって延び、前記吸音材内で終端することが好ましい。
この構成によれば、吸音材にしわが発生するのを有効に抑制することができる。
【００１１】
本発明の空気入りタイヤでは、
前記吸音材は、該吸音材の内面に、該吸音材の幅方向に延びる１つ以上のくせ付け部を有することも好ましい。
この構成によっても、吸音材にしわが発生するのを抑制することができる。
【発明の効果】
【００１２】
本発明によれば、走行時の静粛性を向上させた、空気入りタイヤを提供することができる。
【図面の簡単な説明】
【００１３】
【図１】本発明の一実施形態にかかる空気入りタイヤのタイヤ幅方向断面図である。
【図２】本発明の空気入りタイヤの不織布に好適に用いられる繊維の断面図である。
【図３Ａ】従来の１層の不織布からなる吸音材を示す模式平面図である。
【図３Ｂ】本発明の一実施形態にかかる空気入りタイヤに用いられる、不織布からなる２層以上の吸音層が積層された吸音材を示す模式断面図である。
【図４Ａ】本発明に用いる切り込みを有する吸音材の例を、タイヤ内腔側から見た平面図である。
【図４Ｂ】本発明に用いる切り込みを有する吸音材の例を、タイヤ内腔側から見た平面図である。
【図４Ｃ】本発明に用いる切り込みを有する吸音材の例を、タイヤ内腔側から見た平面図である。
【図４Ｄ】本発明に用いる切り込みを有する吸音材の例を、タイヤ内腔側から見た平面図である。
【図４Ｅ】本発明に用いる切り込みを有する吸音材の例を、タイヤ内腔側から見た平面図である。
【図４Ｆ】本発明に用いる切り込みを有する吸音材の例を、タイヤ内腔側から見た平面図である。
【図４Ｇ】本発明に用いる切り込みを有する吸音材の例を、タイヤ内腔側から見た平面図である。
【図５Ａ】本発明に用いる切り込みを有する吸音材の例を示す断面図である。
【図５Ｂ】本発明に用いる切り込みを有する吸音材の例を示す断面図である。
【図５Ｃ】本発明に用いる切り込みを有する吸音材の例を示す断面図である。
【図５Ｄ】本発明に用いる切り込みを有する吸音材の例を示す断面図である。
【図５Ｅ】本発明に用いる切り込みを有する吸音材の例を示す断面図である。
【発明を実施するための形態】
【００１４】
以下、本発明の実施形態について、図面を参照して詳細に例示説明する。
【００１５】
図１は、本発明の一実施形態にかかる空気入りタイヤのタイヤ幅方向断面図である。
図１に示すように、本実施形態の空気入りタイヤ（以下、単にタイヤとも称する）１は、一対のビード部２と、該ビード部に連なる一対のサイドウォール部と、該サイドウォール部に連なるトレッド部５とを有している。また、タイヤ１は、一対のビード部２に埋設されたビードコア２ａにトロイダル状に跨るカーカス３のクラウン部のタイヤ径方向外側に、ベルト４とトレッドゴムとを順に備えている。
【００１６】
図１に示すように、本実施形態においては、ビードコア２ａのタイヤ径方向外側に、図示例で断面略三角形状のビードフィラ２ｂをさらに備えている。一方で、本発明では、ビード部２の構成は、特に限定されるものではなく、ビードコア２ａやビードフィラ２ｂの断面形状、大きさ、材質は任意の既知のものとすることができる。また、ビードコア２ａやビードフィラ２ｂを有しない構成とすることもできる。
【００１７】
また、本実施形態では、カーカス３は、有機繊維からなる１枚のカーカスプライで構成されているが、本発明では、カーカス３を構成するカーカスプライの枚数や材質も特に限定されない。
【００１８】
また、本実施形態では、ベルト４は、層間でコード（この例ではスチールコード）が互いに交差する、２層のベルト層４ａ、４ｂからなるが、本発明では、ベルト構造は特に限定されず、コードの材質等、打ち込み数、傾斜角度、ベルト層数等、任意の構成とすることができる。
また、トレッド部５のゴムの材質等も、任意の既知の構成とすることができる。
【００１９】
ここで、図１に示すように、本実施形態のタイヤ１は、タイヤ内面６（本実施形態では、タイヤ内面にインナーライナー７が配置されているため、インナーライナー７のさらに内面）に、吸音材８が配置されている。本実施形態では、吸音材８は、少なくとも一部（図示例では全部）が、トレッド部５のタイヤ径方向内側に配置されている。なお、この例では、吸音材８は、タイヤ周上に、タイヤ周方向に沿って連続して設けられている。
図１に示すように、吸音材８は、不織布からなる２層以上（図示例では１０層）の吸音層８ａ〜８ｊが、図示例ではタイヤ径方向に積層されてなる。
本実施形態において、吸音層８ａ〜８ｊの各々の厚さは、１０μｍ〜２ｍｍ（この例では、０．１ｍｍ以上０．４ｍｍ以下）である。
【００２０】
ここで、吸音材８（吸音層８ａ〜８ｊ）に用いる不織布の繊維は、有機繊維又は無機繊維を用いることができる。有機繊維の例としては、レーヨンやポリエチレンテレフタレート、ポリエチレンナフタレート、ポリベンゾイミダゾール、ポリフェニレンサルファイド、ポリビニルアルコール、脂肪族ポリアミド、芳香族ポリアミド（アラミド）、芳香族ポリイミド等が挙げられる。また、無機繊維の例としては、炭素繊維やフッ素繊維、ガラス繊維、金属繊維等が挙げられる。なお、異なる種類の繊維を２種以上混合して用いることもできる。
また、不織布を構成する繊維の長さや径は、任意に設定することができる。特には限定されないが、繊維の径は、例えば１００ｎｍ〜２００μｍとすることができる。
また、不織布の目付けは、１０ｇ／ｍ2〜３００ｇ／ｍ2であることが好ましい。目付けを１０ｇ／ｍ2以上とすることにより、繊維をより均一にすることができ、一方で、３００ｇ／ｍ2とすることにより、吸音材８を設けたことによる過度の重量増を招かないようにすることができる。
【００２１】
図２は、本発明の空気入りタイヤの不織布に好適に用いられる繊維の断面図である。
本発明では、吸音材（吸音層）に用いる不織布の繊維は、断面円形の芯（図２では芯９）と、当該芯の外周に配置され、芯を構成する材料よりも融点の低い材料で構成された、断面環状の鞘（図２では鞘１０）とからなることが好ましい。具体的には、例えば、芯がポリプロピレンからなり、鞘がポリエチレンからなることが好ましい。この場合、鞘が芯よりも融点が低いので、芯と鞘とを熱溶着により固着させることができる。また、この場合、芯と鞘とをほぼ同一体積とすることが好ましい。特には限定されないが、繊維の芯の径は、例えば４５ｎｍ〜９５μｍとすることができ、繊維全体の径は、例えば１００ｎｍ〜２００μｍとすることができる。
【００２２】
本発明において、不織布は、例えば、熱溶着、カーディング法、抄紙法、エアレイ法、メルトブロー、スパンボンド法、水流絡合法、ニードルパンチ法等により、ウェブを作製することで製造することができる。
本発明では、特に、厚さ１０μｍ〜２ｍｍのウェブを、熱を加えながら、所望の層数となるまで折り返して、熱溶着により各層を融着させることが好ましい。
【００２３】
ここで、本実施形態では、タイヤ最内面にインナーライナー７が配置されているため、吸音材８は、加硫成型時のブラダーの膨張により、粘着性を有するインナーライナー７に押着されて、そのままインナーライナー７に固着させている。一方で、吸音材８は、タイヤ内面６（インナーライナー７を有する場合はインナーライナー７の内面）に接着層を介して固着させることもできる。
【００２４】
本発明においては、吸音層８ａ〜８ｊ間の積層は、上記のように熱溶着により行うことが好ましいが、その際に層間にホットメルト接着剤を介在させることもできる。
【００２５】
以下、本実施形態の空気入りタイヤの作用効果について説明する。図３Ａは、従来の１層の不織布からなる吸音材を示す模式平面図である。図３Ｂは、本発明の一実施形態にかかる空気入りタイヤに用いられる、不織布からなる２層以上の吸音層が積層された吸音材を示す模式断面図である。
まず、本実施形態では、タイヤ内面６（この例では、インナーライナー７の内面）に、吸音材８が配置されているため、タイヤ内腔で生じた空洞共鳴に伴う充填気体の振動エネルギーを、吸音材８の内部で内部振動エネルギーに変換して、熱エネルギーとして消費させることができ、これにより空洞共鳴音を低減することができる。
ここで、通常、不織布は、図３Ａに模式的に示すように、その繊維が各方向にランダムに配向している。これに対し、本実施形態においては、吸音材８は、不織布からなる２層以上（図１の例では１０層）の吸音層８ａ〜８ｊが、図１の例ではタイヤ径方向に積層されてなり、吸音層８ａ〜８ｊの各々の厚さは、２ｍｍ以下である。このため、本実施形態で用いている吸音材８は、例えば吸音層８ａ〜８ｊの積層厚さ（厚さの合計）と同じ厚さを有する１層の吸音材と比べて、図３Ｂに繊維の結合が層の界面で切断されている様子を模式的に示すように、吸音層の積層方向（図１の例ではタイヤ径方向）の繊維間の結合が層間の界面により切断されることにより少なくなる。なお、図３Ｂにおいて、紙面左右方向に延びる各直線は、各吸音層を模式的に示し、紙面上下方向にジグザグ状に延びる各線は、各吸音層間を結合している繊維を模式的に示している。
従って、走行時、特に高速走行時に、吸音材８に大きな遠心力がかかった場合であっても、吸音層の積層方向（図１の例ではタイヤ径方向）の繊維間の結合が少ないため、吸音材８が変形した状態が熱によって吸音層の積層方向（図１の例ではタイヤ径方向）の繊維間の結合により固まって固定されるのを抑制することができる。
これにより、吸音材８に大きな遠心力がかかって、吸音材８の体積が減少するように変形した場合であっても、吸音材８の体積を早期に復元させて、吸音材８による吸音効果を有効に発揮させて、走行時の静粛性を向上させることができる。
このように、本実施形態の空気入りタイヤによれば、走行時の静粛性を向上させることができる。
【００２６】
本発明の空気入りタイヤでは、吸音材は、少なくとも一部が、トレッド部のタイヤ径方向内側に配置されていることが好ましい。
上記配置の場合に大きな遠心力がかかりやすいが、このような場合に、吸音材の体積を効果的に復元させて、走行時の静粛性をより有効に向上させることができるからである。
【００２７】
本発明の空気入りタイヤでは、吸音材は、１０μｍ〜２ｍｍの厚さを有する吸音層が、１０〜２００層積層されてなることが好ましい。
それぞれの吸音層の厚さを２ｍｍ以下とすることにより、吸音層の積層方向の繊維間の結合をより少なくして吸音材の復元力をより高めることができ、それを１０層以上積層することで吸音材の体積を確保して、これにより、走行時の静粛性をさらに向上させることができるからである。また、製造上の観点から、それぞれの吸音層の厚さは、１０μｍ以上とすることが好ましく、上記の範囲の厚さの吸音層を２００層以下積層することにより、タイヤの過度の重量増を招かないようにすることができるからである。
よって、上記の範囲とすることにより、タイヤの過度の重量増を招くことなく、走行時の静粛性をさらに向上させることができる。
同様の理由により、本発明では、吸音材は、５０μｍ〜５００μｍの厚さを有する吸音層が、２０〜１００層積層されてなることがより好ましく、１００μｍ〜４００μｍの厚さを有する吸音層が、３０〜８０層積層されてなることがさらに好ましい。
【００２８】
本発明の空気入りタイヤでは、吸音材は、吸音層内の面内の結合量に比して、吸音層の層間の結合量が小さいことが好ましい。上記の吸音材に大きな遠心力がかかった場合であっても、吸音層の積層方向（図１の例ではタイヤ径方向）の繊維間の結合が少ないため、吸音材が変形した状態が熱によって吸音層の積層方向（図１の例ではタイヤ径方向）の繊維間の結合により固まって固定されるのを抑制する効果をより効果的に得ることができるからである。
例えば、吸音材における該吸音材の幅方向の単位幅当たりの繊維の接触面積Ｓｗに比して、吸音材における吸音層の積層方向の（上記タイヤ幅方向の単位幅に等しい）単位長さ当たりの繊維の接触面積Ｓｒが小さいことが好ましい。
【００２９】
図４Ａ〜図４Ｇは、それぞれ、本発明に用いる切り込みを有する吸音材の例を、タイヤ内腔側から見た平面図である。これらの例では、吸音材は、１つ以上の切り込みを有している。
【００３０】
特に、図４Ａ〜図４Ｅに示す例では、吸音材８は、該吸音材８の幅方向（周方向に直交する方向）（図１の例ではタイヤ幅方向）に延びる、１つ以上の切り込み１１を有している。
図４Ａに示す例では、吸音材８は、図示の範囲で３本の切り込み１１を有しており、各切り込み１１は、吸音材８の幅方向の一端から他端まで該吸音材８の幅方向（図１の例ではタイヤ幅方向）に沿って延びている。
図４Ｂに示す例では、吸音材８は、図示の範囲で３本の切り込み１１を有しており、各切り込み１１は、吸音材８の幅方向の一端から該吸音材８の幅方向（図１の例ではタイヤ幅方向）に沿って延びて、該吸音材８内で（図示例では吸音材８の幅方向中心付近で）終端している。
図４Ｃに示す例では、吸音材８は、図示の範囲で３本の切り込み１１を有しており、各切り込み１１は、該吸音材８の幅方向（図１の例ではタイヤ幅方向）に沿って延びて、その両端が該吸音材８内で終端している。
図４Ｄに示す例では、吸音材８は、図示の範囲で３本の切り込み１１を有しており、切り込み１１は、吸音材８の幅方向の一端から該吸音材８の幅方向（図１の例ではタイヤ幅方向）一方側に該幅方向に沿って延びて、該吸音材８内で（図示例では吸音材８の幅方向中心を横切って）終端する、第１の切り込みと、吸音材８の幅方向の他端から該吸音材８の幅方向（図１の例ではタイヤ幅方向）他方側に該幅方向に沿って延びて、該吸音材８内で（図示例では吸音材８の幅方向中心を横切って）終端する、第２の切り込みとが、周方向（図１の例ではタイヤ周方向）に交互に配置されている。図示例では、第１の切り込み及び第２の切り込みは、周方向に投影した際に重なるように幅方向に延在しているが、第１の切り込み及び第２の切り込みは、周方向に投影した際に互いに重ならないように構成することもできる。
図４Ｅに示す例では、吸音材８は、図示の範囲で４本の切り込み１１を有しており、２本の切り込み１１は、吸音材８の幅方向の一端からタイヤ幅方向一方側に向かって該吸音材８の幅方向（図１の例ではタイヤ幅方向）に該幅方向に対して傾斜して延びて該吸音材８内で（図示例では吸音材８の幅方向中心を横切ることなく）終端している、第３の切り込みであり、他の２本の切り込み１１は、吸音材８の幅方向の他端から該吸音材８の幅方向（図１の例ではタイヤ幅方向）他方側に向かって該幅方向に対して傾斜して延びて該吸音材８内で（図示例では吸音材８の幅方向中心を横切ることなく）終端している、第４の切り込みである。図示例では、第３の切り込み及び第４の切り込みは、周方向（図１の例ではタイヤ周方向）に投影した際に重ならないように幅方向に延在しているが、第３の切り込み及び第４の切り込みは、周方向に投影した際に互いに重なるように構成することもできる。
【００３１】
図４Ｆに示す例では、吸音材８は、図示の範囲で２本の切り込み１１を有しており、各切り込み１１は、タイヤ周上にタイヤ周方向に沿って連続して延びている。なお、図４Ｆに示す例では、切り込み１１は、タイヤ周方向に対して傾斜せずに延びているが、タイヤ周方向に対して傾斜して延びるものとすることもできる。
【００３２】
図４Ｇに示す例では、吸音材８は、図示の範囲で８つの小穴である切り込み１１を有している。なお、図４Ａ〜図４Ｂにおいて、直線状の切り込み１１に換えて、当該直線に沿って配列された複数の小穴とすることもできる。
【００３３】
図５Ａ〜図５Ｅは、それぞれ、本発明に用いる切り込みを有する吸音材の例を示す断面図である。
図５Ａ〜図５Ｅに示すように、１つ以上の切り込みは、吸音材のタイヤ径方向内側の内面からタイヤ外面側に向かって延びている。
【００３４】
図５Ａに示す例では、図示の範囲で４本の切り込み１１が、吸音材の内面からタイヤ外面側に向かって吸音層の積層方向（図１の例ではタイヤ径方向）に対して傾斜せずに延び、吸音材８内で（図示例では、吸音材８の厚さ方向の中心付近で）終端している。
図５Ｂに示す例では、図示の範囲で４本の切り込み１１が、吸音材の内面からタイヤ外面側に向かって屈曲して延びて、吸音材８内で終端している。図示例では、屈曲箇所は１箇所であるが２箇所以上とすることもできる。
図５Ｃに示す例では、図示の範囲で３本の切り込み１１が、吸音材の内面からタイヤ外面側に向かって吸音層の積層方向（図１の例ではタイヤ径方向）に対して傾斜して延びて、吸音材８内で終端している。
図４Ａ〜図４Ｆ及びその変形例のいずれの場合についても、切り込み１１の延在方向に直交する方向の断面形状を、例えば、図５Ａ〜図５Ｃのいずれか又はその変形例に対応した形状とすることができる。
【００３５】
図５Ｄに示す例では、小穴である切り込み１１が、吸音材の内面からタイヤ外面側に向かって延び、吸音材８内で終端しており、その断面形状は略半円状である。
図５Ｅに示す例では、小穴である切り込み１１が、吸音材の内面からタイヤ外面側に向かって延び、吸音材８内で終端しており、その断面形状は、吸音材の内面からタイヤ外面側に向かって幅が大きくなる三角形状である。
図４Ｇ及びその変形例のいずれでも、切り込み１１の延在方向に直交する方向の断面形状を、例えば、図５Ｄ、図５Ｅのいずれか又はその変形例に対応した形状とすることができる。
【００３６】
本発明では、図４Ａ〜図４Ｅ及び図５Ａ〜図５Ｃに示したように、吸音材は、該吸音材の幅方向に延びる、１つ以上の切り込みを有し、該１つ以上の切り込みは、吸音材の内面からタイヤ外面側に向かって延びることが好ましい。切り込みにより吸音材での変形を吸収して、吸音材にしわが発生するのを抑制することができるからである。
【００３７】
本発明では、図５Ａ〜図５Ｅに示したように、１つ以上の切り込みは、吸音材の内面からタイヤ外面側に向かって延び、吸音材内で終端することが好ましい。吸音材自体の変形を抑制して、吸音材にしわが発生するのを有効に抑制することができるからである。
【００３８】
本発明では、吸音材は、該吸音材の内面に、該吸音材の幅方向に延びる１つ以上のくせ付け部（例えば折り目）を有することも好ましい。この場合も、吸音材にしわが発生するのを抑制することができるからである。なお、くせ付け部の位置等は、例えば、切り込みの場合について図４Ａ〜図４Ｅに示したのと同様にすることができる。
【００３９】
上記の切り込み及びくせ付け部は、特には限定されないが、例えばブレード（刃のない金属板も含む）等で形成することができる。
【００４０】
以上、本発明の実施形態について説明したが、本発明は上記の実施形態に何ら限定されるものではない。例えば、吸音材の幅方向の幅や厚さなどは、適宜変更することができる。また、上記の例では、吸音材は、タイヤ周上に連続して設けられているものとしたが、タイヤ周上の１箇所以上に設けることができ、例えば、断続的に設けられたものとすることもできる。この場合、タイヤ周上のいずれか一箇所において、吸音材が、不織布からなる２層以上の吸音層が積層されてなり、吸音層の各々の厚さが、２ｍｍ以下であれば、上記の作用効果を得ることができる。また、吸音材を幅方向（図１の例ではタイヤ幅方向）に複数個分けて設けることもできる。この場合も、幅方向に複数個に分けたいずれか一箇所において、吸音材が、不織布からなる２層以上の吸音層が積層されてなり、吸音層の各々の厚さが、２ｍｍ以下であれば、上記の作用効果を得ることができる。あるいは、１つの吸音材について、幅方向の一部においてのみ、不織布からなる２層以上の吸音層が積層されてなり、吸音層の各々の厚さが、２ｍｍ以下であっても、上記の作用効果を得ることができる。なお、この場合、当該一部と他の部分とは接着層等により接着することができる。
切り込み又はくせ付け部を設ける場合、切り込み、くせ付け部の本数等は、適宜変更することができる。また、切り込み、くせ付け部の平面形状等は、図４Ａ〜図４Ｇに示した例には限定されず、延在方向及び延在長さと共に適宜変更することができる。また、切り込みの断面形状も、図５Ａ〜図５Ｅに示した例には限定されず、延在方向及び延在長さと共に適宜変更することができる。
【符号の説明】
【００４１】
１：空気入りタイヤ
２：ビード部
２ａ：ビードコア
２ｂ：ビードフィラ
３：カーカス
４：ベルト
５：トレッド部
６：タイヤ内面
７：インナーライナー
８：吸音材（不織布）
８ａ〜８ｊ：吸音層（不織布）
９：芯
１０：鞘
１１：切り込み
【図１】
2020097288.tif 000003
【図２】
2020097288.tif 000004
【図３Ａ】
2020097288.tif 000005
【図３Ｂ】
2020097288.tif 000006
【図４Ａ】
2020097288.tif 000007
【図４Ｂ】
2020097288.tif 000008
【図４Ｃ】
2020097288.tif 000009
【図４Ｄ】
2020097288.tif 000010
【図４Ｅ】
2020097288.tif 000011
【図４Ｆ】
2020097288.tif 000012
【図４Ｇ】
2020097288.tif 000013
【図５Ａ】
2020097288.tif 000014
【図５Ｂ】
2020097288.tif 000015
【図５Ｃ】
2020097288.tif 000016
【図５Ｄ】
2020097288.tif 000017
【図５Ｅ】
2020097288.tif 000018